(57)【特許請求の範囲】
【請求項１】
複数個の同径の円筒型電池を電気的に接続するとともに、径方向に隙間なく一直線上に少なくとも１列並べた電池列を電池ケースに収納した電池パックにおいて、前記電池ケースは、複数個の半円弧状の凹部を有し、その凹部のそれぞれは電池の周面の一部を固定し、前記半円弧状部の中央部に直線部を有するものであり、前記半円弧状部の半径をＲ、前記直線部の長さをＬ、前記電池外径の規格値の最大外径をＭ、最小外径をＳ、前記電池列内のいずれか一つの電池を基準電池とし、この基準電池からの前記電池の並び数をＮとするとき、
Ｌ＝（Ｍ−Ｓ）×Ｎ
の関係式で示され、かつ、前記半円弧状部の半径Ｒは、Ｒ＝Ｍ／２の関係式で表される電池パック。
【発明の詳細な説明】
【０００１】
【発明の属する技術分野】
本発明は、複数個の円筒型電池を内蔵した電池パックに関するものである。
【０００２】
【従来の技術】
従来、電池パックは、複数個の同径の円筒型電池を電気的に接続するとともに径方向に一直線状に並べた電池列を１列以上、ＡＢＳ樹脂などの電池ケースに収納するものであった。この電池パックは、使用される電気機器の小型軽量化に伴い寸法的に制限されため、同径の電池を隙間なく並べ電池ケースに収納する必要がある。
【０００３】
このため、ケースに半円弧状の凹部を設けて円筒型電池を収納することが一般的となっており、ケースに設けられた半円弧状凹部は、円筒型電池の外径規格値を基にして、電池が規格値の最大外径なってもケースに収納できるように、設計されている。
【０００４】
【発明が解決しようとする課題】
しかしながら、上記従来の構成の電池パックにおいて、円筒型電池の外径寸法には寸法バラツキが有り、図５に示すように規格値の最大外径より小さい円筒型電池を収納すると、電池列中の各電池の軸芯と半円弧状凹部の軸芯が次第にずれて電池周面と半円弧状部の縁が干渉してしまい、電池にダメージを与えたり、電池パックの膨れやケースクラックの要因となってしまうという問題があった。
【０００５】
本発明は、上記の課題を解決するものであり、円筒型電池の外径寸法の寸法バラツキを考慮した良好な電池パックを提供することを目的とする。
【０００６】
【課題を解決するための手段】
本発明は、上記の目的を達成するもので、複数個の同径の円筒形電池を電気的に接続し径方向に隙間なく一直線上に並べた電池列を１列又は複数列を樹脂などのケースに収納する電池パックにおいて、このケースは、複数個の半円弧状の凹部を有し、その凹部のそれぞれは電池の周面の一部を固定するものであり、かつ、その凹部の中央部に直線部を有するものであり、前記直線部の長さをＬ、前記電池外径の規格値の最大外径をＭ、最小外径をＳ、基準からの前記電池の並び数をＮとするとき、
Ｌ＝（Ｍ−Ｓ）×Ｎの関係式で表され、かつ、円弧の半径Ｒは、Ｒ＝Ｍ／２の関係式で表される電池パックとしたものである。
【０００７】
【発明の実施の形態】
本発明の請求項１に記載の発明は、複数個の略同径の円筒型電池を電気的に接続するとともに、径方向に隙間なく一直線上に少なくとも１列並べた電池列を電池ケースに収納した電池パックにおいて、前記ケースは、複数個の半円弧状の凹部を有し、その凹部のそれぞれは電池の周面の一部を固定するものであり、前記凹部は、半円弧状部とその中央部に直線部を有するものであり、前記半円弧状部の半径をＲ、前記直線部の長さをＬ、前記電池外径の規格値の最大外径をＭ、最小外径をＳ、前記電池列内のいずれか一つの電池を基準電池とし、この基準電池からの前記電池の並び数をＮとするとき、Ｌ＝（Ｍ−Ｓ）×Ｎの関係式で示され、かつ、前記円弧部の半径Ｒは、Ｒ＝Ｍ／２の関係式で表される電池パックとしたものであり、この関係式を満たす電池パックを構成する限り、円筒型電池の外径寸法がバラツキを許容するので、電池周面の一部と樹脂ケース凹部は干渉しなく、電池列がズレて電池にダメージを与えたり、電池パックの膨れやケースクラックを防止することができる。
【０００８】
【実施例】
以下、本発明の具体例について図面を参照しながら説明する。
【０００９】
図１から図３に示すように、円筒型電池１としては、その外径規格値の最大外径をＭ、最小外径をＳとするとき、最大外径Ｍが１７．０ｍｍ、最小外径Ｓを１６．７ｍｍのものを用いる。
【００１０】
円筒型電池１を径方向に隙間なく一直線上に１列並べるとともに電気的に接続して電池列２を構成して電池ケース３に収納して本発明の実施例における電池パックＡを構成した。
【００１１】
この電池ケース３は、上ケース３ａと下ケース３ｂに分割され、半円弧状の凹部４を有し、その凹部４のそれぞれは電池１の周面の一部を固定するものであり、凹部４は、円弧部４ａとその中央に直線部４ｂを有するものである。この凹部４は、円弧部４ａの半径をＲ、直線部の長さをＬ、電池１の外径の規格値の最大外径をＭ、最小外径をＳ、電池列内２の電池１ａを基準電池とし、この基準電池１ａからの電池の並び数をＮとするとき、Ｌ＝（Ｍ−Ｓ）×Ｎの関係式で求め、かつ、円弧部４ａの半径Ｒは、Ｒ＝Ｍ／２の関係式で求めた値とした。
【００１２】
すなわち、円弧部４ａの半径Ｒは、円筒型電池１の外径規格値の最大外径Ｍが１７．０ｍｍを次式に当てはめて求め、Ｒ＝Ｍ／２＝１７．０／２＝８．５ｍｍとした。凹部４の中央に位置する直線部４ｂの長さＬは、円筒型電池１の外径規格値の最大外径Ｍが１７．０ｍｍ、円筒型電池１の外径規格値の最小外径Ｓが１６．７ｍｍ、および基準電池１ａからの並び数Ｎが９を次式に当てはめて求め、Ｌ＝（Ｍ−Ｓ）×Ｎ＝（１７．０−１６．７）×９＝２．７ｍｍとした。
【００１３】
図２に円筒型電池１の外径が規格値の最大である１７．０ｍｍの外径である円筒型電池１を１０個用いて、電池パックＡを構成したときの例を示す。図２の部分拡大図に示すように、電池列２の各電池１の軸芯と凹部４の中心が次第にずれたとしても直線部４ｂ上に電池１の軸芯が納まるので、電池１の周面とケース３の凹部４の干渉を防ぐことができる。このため電池１にダメージを与えたり、電池パックの膨れやケースクラックが起こらない。
【００１４】
図３に円筒型電池１の外径が規格値の最小である１６．７ｍｍの外径である円筒型電池１を１０個用いて、電池パックＡを構成したときの例を示す。上記、図２に示す場合と同様、図３の部分拡大図に示すように電池１の周面とケース３の凹部４とは干渉しないので、電池１にダメージを与えたり、電池パックの膨れやケースクラックが起こらない。
【００１５】
次に、比較例として上記の実施例で用いた電池ケース３の代わりに、凹部４の直線部４ｂがなく、凹部４の全てが円弧状の電池ケース５を用いた以外は、同じ構成とした比較例の電池パックＢを構成し、その分解断面図を図４に示す。
【００１６】
円筒型電池１の外径が規格値の最大である１７．０ｍｍの外径である円筒型電池１を１０個用いて、比較例の電池パックＢを構成した。この場合、電池１の周面とケース５の凹部４とは干渉しないので、電池１にダメージを与えたり、電池パックの電池ケースの膨れや電池ケースのクラックが起こる可能性はない。
【００１７】
円筒型電池１の外径が規格値の最小である１６．７ｍｍの外径である円筒型電池１を１０個用いて、比較例の電池パックＢを構成した。その比較例の電池パックＢの断面図を図５に示す。図５の部分拡大図に示すように電池１の周面とケース５の凹部４とは干渉するので、電池１にダメージを与えたり、電池パックの膨れやケースクラックが起こる可能性が有る。
【００１８】
すなわち、上記の比較例で示したように凹部４の直線部４ｂがなく、凹部４の全てが円弧状であると、電池の径が規格値の最大の場合は電池とケースは干渉しないが、電池の径が規格値の最大より小さい場合は電池とケースは干渉する可能性が有り、電池にダメージを与えたり、電池パックの電池ケースの膨れや電池ケースのクラックが起こる可能性が有る。
【００１９】
【発明の効果】
以上のように本発明によれば、複数個の円筒形電池を電気的機械的に接続し径方向に一直線状に隙間なく並べた電池列を一列以上樹脂などのケースに収納する電池パックにおいて、円筒形電池の外径寸法の寸法バラツキを考慮した良好な電池パックを提供することができる。
【図面の簡単な説明】
【図１】本発明の実施例における電池パックＡの分解断面図
【図２】同電池パックＡの断面図
【図３】同電池パックＡの断面図
【図４】比較例の電池パックＢの分解断面図
【図５】比較例の電池パックＢの断面図
【符号の説明】
１  円筒型電池
２  電池列
３  電池ケース
４  凹部
５  電池ケース
【図１】
0003635980.tif 000002
【図２】
0003635980.tif 000003
【図３】
0003635980.tif 000004
【図４】
0003635980.tif 000005
【図５】
0003635980.tif 000006